(57)【要約】【課題】断線の発生を抑制することが可能なボビンを提供する。【解決手段】導線３１が巻回される芯部と、ターミナル２０が取り付けられる取付部１３と、前記取付部１３に設けられ、前記芯部１１から前記ターミナル２０へと延びる前記導線３１の中途部が巻回される下側からげピン１４及び上側からげピン１５と、を具備した。【選択図】図１
2018121034.tif 000002
【特許請求の範囲】
【請求項１】
導線が巻回される芯部と、
ターミナルが取り付けられる取付部と、
前記取付部に設けられ、前記芯部から前記ターミナルへと延びる前記導線の中途部が巻回される巻回部と、
を具備するボビン。
【請求項２】
前記芯部、前記取付部及び前記巻回部は、
互いに一体的に形成される、
請求項１に記載のボビン。
【請求項３】
前記巻回部は、
前記芯部から前記ターミナルへと向かって複数個所に形成される、
請求項１に記載のボビン。
【請求項４】
前記巻回部は、
多角形状の断面を有する棒状に形成される、
請求項１から請求項３までのいずれか一項に記載のボビン。
【発明の詳細な説明】
【技術分野】
【０００１】
本発明は、導線が巻回されるボビンの技術に関する。
【背景技術】
【０００２】
従来、導線が巻回されるボビンに関する技術は公知となっている。例えば、特許文献１に記載の如くである。
【０００３】
特許文献１には、ボビンと、当該ボビンに導線を巻回することで形成されたコイルと、導線の端部が接続されるターミナルと、を有するコイル部材が記載されている。当該コイル部材においては、導線の端部が接続される線接続部と、端子部と、ボビンに固定される固定部と、コイルからターミナル（線接続部）へと延びる導線の中途部がからげられる（巻回される）からげピンとが、ターミナルに一体的に形成されている。このように構成することで、ボビン（コイル）の径方向における当該コイル部材の大きさを小さく抑える（小型化を図る）ことができる。
【０００４】
しかしながら、特許文献１に記載のように、からげピンがターミナルに一体的に形成されていると、当該ターミナルがボビン（特に、導線が巻回されてコイルが形成される部分）から離れた位置に配置された場合、当該コイルからからげピンまでの距離も離れてしまう。このため、コイルからからげピンまでに亘って導線が長く延びることになり、当該部分で断線が生じ易くなるおそれがある。
【先行技術文献】
【特許文献】
【０００５】
【特許文献１】特開２００２−１４１２１７号公報
【発明の概要】
【発明が解決しようとする課題】
【０００６】
本発明は以上の如き状況に鑑みてなされたものであり、その解決しようとする課題は、断線の発生を抑制することが可能なボビンを提供するものである。
【課題を解決するための手段】
【０００７】
本発明の解決しようとする課題は以上の如くであり、次にこの課題を解決するための手段を説明する。
【０００８】
即ち、請求項１においては、導線が巻回される芯部と、ターミナルが取り付けられる取付部と、前記取付部に設けられ、前記芯部から前記ターミナルへと延びる前記導線の中途部が巻回される巻回部と、を具備するものである。
【０００９】
請求項２においては、前記芯部、前記取付部及び前記巻回部は、互いに一体的に形成されるものである。
【００１０】
請求項３においては、前記巻回部は、前記芯部から前記ターミナルへと向かって複数個所に形成されるものである。
【００１１】
請求項４においては、前記巻回部は、多角形状の断面を有する棒状に形成されるものである。
【発明の効果】
【００１２】
本発明の効果として、以下に示すような効果を奏する。
【００１３】
請求項１においては、断線の発生を抑制することができる。
【００１４】
請求項２においては、部品点数を削減できる。
【００１５】
請求項３においては、断線の発生を抑制することができる。
【００１６】
請求項４においては、導線が緩むのを防止することができる。
【図面の簡単な説明】
【００１７】
【図１】本発明の一実施形態に係るボビンを具備するコイル部材を示した側面図。
【図２】図１におけるＡ−Ａ断面図。
【図３】コイル部材（特にターミナルの取付部分）を示した平面図。
【図４】ボビンを示した側面図。
【図５】図４におけるＢ−Ｂ断面図。
【発明を実施するための形態】
【００１８】
以下では、図中の矢印Ｕ、矢印Ｄ、矢印Ｆ、矢印Ｂ、矢印Ｌ及び矢印Ｒで示した方向を、それぞれ上方向、下方向、前方向、後方向、左方向及び右方向と定義して説明を行う。
【００１９】
以下では、図１から図５までを用いて、本発明の一実施形態に係るボビン１０を具備するコイル部材１について説明する。
【００２０】
図１から図３までに示すコイル部材１は、磁力を発生させるための部材である。コイル部材１は、種々のアクチュエータ等に用いることができる。コイル部材１は、主としてボビン１０、ターミナル２０及びコイル３０を具備する。
【００２１】
図４及び図５に示すボビン１０は、コイル部材１の主たる構造体を成すものである。ボビン１０は、主として芯部１１、鍔部１２、取付部１３、下側からげピン１４及び上側からげピン１５を具備する。
【００２２】
芯部１１は、後述するコイル３０が形成される部分である。芯部１１は、所定の直径を有する円筒状に形成される。本実施形態においては、芯部１１の軸線方向を前後方向に向けた状態を図示している。
【００２３】
鍔部１２は、芯部１１から当該芯部１１の径方向外側へと拡径するように形成された部分である。鍔部１２は、芯部１１の前後両端部にそれぞれ形成される。鍔部１２は、板面を前後に向けた円環板状に形成される。
【００２４】
前方に配置された鍔部１２の背面には、凹部１２ａが形成される。凹部１２ａは、背面視（図５参照）において、当該鍔部１２の背面の左上部を前方に向かって凹ませることで形成される。
【００２５】
取付部１３は、後述するターミナル２０を取り付ける部分である。取付部１３は、前方に配置された鍔部１２の上部から上方に向かって延びるように形成される。取付部１３は、板面を前後に向けた略矩形板状に形成される。取付部１３の上端部近傍は、その他の部分に比べて前後幅（厚み）が大きくなるように形成される。取付部１３には、貫通孔１３ａが形成される。
【００２６】
貫通孔１３ａは、取付部１３を前後に貫通するように形成される。貫通孔１３ａは、取付部１３の上端部近傍（前後幅が大きい部分）に左右一対形成される。
【００２７】
下側からげピン１４及び上側からげピン１５は、後述する導線３１の中途部が巻回される部分である。下側からげピン１４及び上側からげピン１５は、取付部１３の左右両側面にそれぞれ形成される。なお、下側からげピン１４及び上側からげピン１５は、取付部１３に対して左右対称に形成されているため、以下では当該取付部１３の左側面に形成された下側からげピン１４及び上側からげピン１５に着目して詳細な説明を行う。
【００２８】
下側からげピン１４及び上側からげピン１５は、取付部１３の左側面において、上下に並ぶように形成される。下側からげピン１４及び上側からげピン１５は、取付部１３の貫通孔１３ａよりも下方に位置するように形成される。下側からげピン１４は、上側からげピン１５の下方に形成される。下側からげピン１４及び上側からげピン１５は、取付部１３の左側面から左方に向かって延びる棒状に形成される。下側からげピン１４及び上側からげピン１５は、側面断面視（長手方向断面視）において、１つの頂点が正面（前方）を向くような正三角形状に形成される。上側からげピン１５は、下側からげピン１４よりも長くなるように形成される。
【００２９】
このように構成されたボビン１０において、芯部１１、鍔部１２、取付部１３、下側からげピン１４及び上側からげピン１５は、一体的に形成されている。
【００３０】
図１から図３までに示すターミナル２０は、外部電源等に接続される部材である。ターミナル２０は、左右一対設けられる。なお、ターミナル２０は左右対称に形成されているため、以下では左側のターミナル２０に着目して詳細な説明を行う。
【００３１】
ターミナル２０は、主として端子部２１及び接続部２２を具備する。
【００３２】
端子部２１は、細長い板状に形成される部分である。端子部２１は、ボビン１０（芯部１１）の長手方向と平行になるように（すなわち、前後方向に延びるように）配置される。当該端子部２１は、取付部１３に形成された左側の貫通孔１３ａに、前方から挿通されて固定される（図３参照）。
【００３３】
接続部２２は、後述する導線３１が接続される部分である。接続部２２は、端子部２１の後端部近傍（取付部１３よりも後方）から外側（左方）に向かって延びるように形成される。接続部２２は、平面視略Ｕ字状に形成される。
【００３４】
このように構成されたターミナル２０において、端子部２１及び接続部２２は、所定の形状を有する一枚の板状部材を適宜屈曲することで一体的に形成されている。
【００３５】
なお、右側のターミナル２０は、取付部１３に形成された右側の貫通孔１３ａに挿通されて固定される。
【００３６】
コイル３０は、導線３１を巻いて形成されるものである。コイル３０は、ボビン１０の芯部１１に巻回することによって形成される。当該コイル３０を形成する導線３１の両端は、左右のターミナル２０にそれぞれ接続される。
【００３７】
具体的には、導線３１の一端側（導線３１ａ）は、取付部１３の後方を通って、当該取付部１３の左側面に形成された下側からげピン１４及び上側からげピン１５に順に巻回される。当該導線３１ａの端部は、左側のターミナル２０の接続部２２に接続される。
【００３８】
また、導線３１の他端側（導線３１ｂ）は、ボビン１０の鍔部１２に形成された凹部１２ａに沿って取付部１３の前方へと案内される。当該導線３１ｂは、取付部１３の前方を通って当該取付部１３の右側面に形成された下側からげピン１４及び上側からげピン１５に順に巻回される。当該導線３１ｂの端部は、右側のターミナル２０の接続部２２に接続される。
【００３９】
導線３１（導線３１ａ及び導線３１ｂ）がターミナル２０の接続部２２に接続される場合、当該導線３１及びターミナル２０はヒュージング（熱かしめ）等によって互いに固定される。この際、ボビン１０の芯部１１（コイル３０）からターミナル２０へと延びる導線３１に応力が加わって、当該導線３１の損傷（断線）が発生するおそれがある。
【００４０】
そこで本実施形態においては、ターミナル２０が取り付けられる取付部１３に下側からげピン１４及び上側からげピン１５を設け、芯部１１（コイル３０）からターミナル２０へと延びる導線３１の中途部を当該下側からげピン１４及び上側からげピン１５に巻回している。これによって、導線３１及びターミナル２０をヒュージングにより固定する際に導線３１に加わる応力を緩和することができ、ひいては当該導線３１の損傷（断線）の発生を抑制することができる。
【００４１】
特に本実施形態の如く、ターミナル２０が取り付けられる取付部１３に下側からげピン１４及び上側からげピン１５を設けることで、芯部１１（コイル３０）からターミナル２０までの距離が離れていても、その中途部で導線３１を適宜巻回することができ、当該導線３１に加わる応力を効果的に緩和することができる。
【００４２】
以上の如く、本実施形態に係るボビン１０は、
導線３１が巻回される芯部１１と、
ターミナル２０が取り付けられる取付部１３と、
前記取付部１３に設けられ、前記芯部１１から前記ターミナル２０へと延びる前記導線３１の中途部が巻回される下側からげピン１４及び上側からげピン１５（巻回部）と、
を具備するものである。
【００４３】
このように構成することにより、断線の発生を抑制することができる。特に、取付部１３に下側からげピン１４及び上側からげピン１５を設けることで、芯部１１からターミナル２０までの距離が離れていても、導線３１に加わる応力を効果的に緩和することができ、ひいては断線の発生を効果的に抑制することができる。
【００４４】
また、前記芯部１１、前記取付部１３、下側からげピン１４及び上側からげピン１５は、
互いに一体的に形成されるものである。
【００４５】
このように構成することにより、部品点数を削減できる。これによって、組み立て工数も削減することができる。
【００４６】
また、下側からげピン１４及び上側からげピン１５は、
前記芯部１１から前記ターミナル２０へと向かって複数個所に形成されるものである。
【００４７】
このように構成することにより、断線の発生を効果的に抑制することができる。すなわち、複数個所において導線３１を巻回することができるため、当該導線３１に加わる応力を効果的に緩和することができる。当該構成は、芯部１１からターミナル２０までの距離が離れている場合に特に有用である。
【００４８】
また、下側からげピン１４及び上側からげピン１５は、
正三角形状（多角形状）の断面を有する棒状に形成されるものである。
【００４９】
このように構成することにより、導線３１が緩むのを防止することができる。すなわち、正三角形状（多角形状）の頂点部分で導線３１が屈曲されるため、当該導線３１が緩み難くなる。
【００５０】
なお、本実施形態に係る下側からげピン１４及び上側からげピン１５は、本発明に係る巻回部の実施の一形態である。
【００５１】
以上、本発明の一実施形態を説明したが、本発明は上記構成に限定されるものではなく、特許請求の範囲に記載された発明の範囲内で種々の変更が可能である。
【００５２】
例えば、本実施形態においては、取付部１３の左右にそれぞれからげピンを２つ（下側からげピン１４及び上側からげピン１５）ずつ設けるものとしたが、本発明はこれに限るものではなく、１つ、又は３つ以上設けることも可能である。
【００５３】
また、本実施形態においては、芯部１１、鍔部１２、取付部１３、下側からげピン１４及び上側からげピン１５を一体的に形成した例を示したが、本発明はこれに限るものでなく、それぞれ別個の部材として形成することも可能である。
【００５４】
また、本実施形態においては、正三角形状の断面を有する下側からげピン１４及び上側からげピン１５を例示したが、本発明はこれに限らず、当該断面は任意の形状とすることができる。なお、下側からげピン１４及び上側からげピン１５に巻回される導線３１の緩みを抑制する観点から、当該下側からげピン１４及び上側からげピン１５の断面は多角形状とすることがのぞましい。
【００５５】
また、本実施形態においては、導線３１が巻回される下側からげピン１４及び上側からげピン１５が取付部１３に設けられる例を示したが、本発明はこれに限るものではない。例えば、芯部１１（コイル３０）からターミナル２０へと延びる導線３１の中途部を、取付部１３に巻回することも可能である。この場合、当該取付部１３がからげピン（本発明に係る巻回部）としても機能することになる。このように構成することで、下側からげピン１４及び上側からげピン１５が不要となり、構成の簡素化を図ることができる。
【符号の説明】
【００５６】
１    コイル部材
１０  ボビン
１１  芯部
１３  取付部
１４  下側からげピン
１５  上側からげピン
２０  ターミナル
３０  コイル
３１  導線
【図１】
2018121034.tif 000003
【図２】
2018121034.tif 000004
【図３】
2018121034.tif 000005
【図４】
2018121034.tif 000006
【図５】
2018121034.tif 000007